(57)【特許請求の範囲】
【請求項１】
移動局へのシステム情報を送信するサブフレームである複数のシステム情報サブフレーム、前記移動局がアイドルモードでページングメッセージを受信するサブフレームである複数のページングサブフレーム、および下りリンク制御チャネルの間欠受信モードでの前記移動局の下りリンク制御チャネルの受信のオン期間に対応する複数のオン期間サブフレームの少なくともいずれかを特定するサブフレーム特定部と、
前記サブフレーム特定部で特定されたサブフレームを回避しながら、前記移動局での異周波測定のための異周波測定期間を前記移動局に割り当てる異周波測定期間割り当て部と
を備え、
前記サブフレーム特定部は、
前記異周波測定期間の繰り返し周期の長さに相対する複数の前記システム情報サブフレームの相対的な番号、前記異周波測定期間の繰り返し周期の長さに相対する複数の前記ページングサブフレームの相対的な番号、前記異周波測定期間の繰り返し周期の長さに相対する複数の前記オン期間サブフレームの相対的な番号の少なくともいずれかを、回避すべきサブフレームの番号として特定し、
前記異周波測定期間割り当て部は、
前記異周波測定期間の長さを有する連続する複数のサブフレームからなり、前記異周波測定期間の繰り返し周期の長さに相対するサブフレーム番号で特定されるブロックに前記回避すべきサブフレームの番号が含まれるか否か判断し、このブロックに前記回避すべきサブフレームの番号が含まれていなければ、このブロックを前記異周波測定期間として選択し、このブロックに前記回避すべきサブフレームの番号が含まれていれば、このブロックから１サブフレーム分シフトした次のブロックを指定する判断・選択工程を繰り返す
ことを特徴とする無線基地局。
【請求項２】
移動局へのシステム情報を送信するサブフレームである複数のシステム情報サブフレーム、前記移動局がアイドルモードでページングメッセージを受信するサブフレームである複数のページングサブフレーム、および下りリンク制御チャネルの間欠受信モードでの前記移動局の下りリンク制御チャネルの受信のオン期間に対応する複数のオン期間サブフレームの少なくともいずれかを特定するサブフレーム特定部と、
前記サブフレーム特定部で特定されたサブフレームを回避しながら、前記移動局での異周波測定のための異周波測定期間を前記移動局に割り当てる異周波測定期間割り当て部と
を備え、
前記サブフレーム特定部は、
前記異周波測定期間の繰り返し周期の長さに相対する複数の前記システム情報サブフレームの相対的な番号、前記異周波測定期間の繰り返し周期の長さに相対する複数の前記ページングサブフレームの相対的な番号、前記異周波測定期間の繰り返し周期の長さに相対する複数の前記オン期間サブフレームの相対的な番号の少なくともいずれかを、回避すべきサブフレームの番号として特定し、
前記異周波測定期間割り当て部は、
前記異周波測定期間の長さを有する連続する複数のサブフレームからなり、前記異周波測定期間の繰り返し周期の長さに相対するサブフレーム番号で特定されるブロックに前記回避すべきサブフレームの番号が含まれるか否か判断し、このブロックに前記回避すべきサブフレームの番号が含まれていなければ、このブロックを前記異周波測定期間として選択し、このブロックに前記回避すべきサブフレームの番号が含まれていれば、このブロックから複数サブフレーム分シフトした次のブロックを指定する判断・選択工程を繰り返す
ことを特徴とする無線基地局。
【請求項３】
前記異周波測定期間割り当て部は、前記回避すべきサブフレームの番号が含まれるか否か判断する最初のブロックを、異周波測定期間が割り当てられる移動局に応じて異なるように指定することを特徴とする請求項１または２に記載の無線基地局。
【請求項４】
前記サブフレーム特定部は、複数の前記システム情報サブフレーム、複数の前記ページングサブフレーム、および複数の前記オン期間サブフレームのいずれをも特定する
ことを特徴とする請求項１から３のいずれかに記載の無線基地局。
【発明の詳細な説明】
【技術分野】
【０００１】
本発明は、無線基地局に関する。
【背景技術】
【０００２】
3GPP(3rd Generation Partnership Projects)において、符号分割多元接続（Code Division Multiple Access（CDMA））技術に基づいたW-CDMA（Wideband-Code Division Multiple Access）システムまたは、UMTS（Universal Mobile Telecommunications System）と呼ばれる移動通信システムが仕様化され、日本やヨーロッパをはじめ多数の国で普及している（以降、W-CDMAおよびUMTSを3Gと呼称する）。また、OFDM（Orthogonal Frequency Division Multiplexing）技術を用いた次世代通信システムとして、3G通信システムより大幅に通信速度を向上させたLTE（Long Term Evolution）システムが仕様化されている。
【０００３】
背景技術１
LTEシステムにおいては、無線基地局（eNB (evolved Node B））は、複数の移動局（UEs (user equipments)）にシステム情報（System information）を報知するように規定されている（非特許文献１、Section 5.2）。非特許文献１においては、システム情報には、MIB (Master Information Block)および複数のSIBs (System Information Blocks)がある。MIBは、移動局にとって最も重要で頻繁に送信されるパラメータを含む。複数のSIBsは、System Information Block Type 1と、それ以外のSIBs（System Information Block Type 2など）を含む。System Information Block Type 1以外のSIBsは、いくつかにグループ化されて各SI (System Information)メッセージにまとめられる。以下、System Information Block Type 1をSIB1と略称する。以下、SIメッセージをSI-nと表記することがある（nは１から３２までの整数である）。
【０００４】
これらのシステム情報の情報ブロックおよび情報メッセージは周期的に無線基地局から送信される。図１および図２は、無線基地局からのシステム情報の送信の態様の例を示す。図１に示すように、SIB1は定期的に送信される。非特許文献１では、SIB1の送信周期は80msと規定されている。但し、移動局の受信失敗を考慮して、80msの周期の間に、同一のSIB1を繰り返し送信することも可能と規定されている。図２の例においては、SIB-1の再送周期は20msである。図２に示すように、SIB-1を送信する周波数帯はダイナミックスケジューリングで動的に決定される。
【０００５】
図２に示すように、MIBも定期的に送信される。非特許文献１では、MIBの送信周期は40msと規定されている。但し、移動局の受信失敗を考慮して、40msの周期の間に、同一のMIBを繰り返し送信することも可能と規定されている。図２の例においては、MIBの再送周期は10msである。図２に示すように、MIBを送信する周波数帯は固定である。
【０００６】
図１に示すように、各SIメッセージも定期的に送信される。より具体的には、各SIメッセージは、定期的に発生する時間ウィンドウ（SI-ウィンドウ）で送信される。例えば、SI-1のSI-ウィンドウの周期は160msであり、SI-2のSI-ウィンドウの周期は320msであり、SI-3のSI-ウィンドウの周期は640msであり、SI-4のSI-ウィンドウの周期は1280msである。移動局の受信失敗を考慮して、各SI-ウィンドウ内では、同種のSIメッセージを繰り返し送信することも可能である。例えば、図２の最も左側のSI-ウィンドウはSI-1のためのSI-ウィンドウであり、そのSI-ウィンドウ内ではSI-1が繰り返し送信される。図２の左から２番目のSI-ウィンドウはSI-2のためのSI-ウィンドウであり、そのSI-ウィンドウ内ではSI-2が繰り返し送信される。図２では、SI-1のSI-ウィンドウ、SI-2のSI-ウィンドウ、SI-3のSI-ウィンドウ、およびSI-4のSI-ウィンドウは連続して並んでいるが、SIメッセージの種類によりSI-ウィンドウの周期が異なるので、これらのSI-ウィンドウが２周期目以降は連続して並ぶとは限らない（つまり、図２は、図１の期間IIの詳細を示す）。
【０００７】
SI-ウィンドウの長さは調節可能であるが、図２の例では、20msである。上記のように、MIBの送信周期が10msである場合には各SI-ウィンドウでMIBは２回送信され、SIB-1の再送周期が20msである場合には各SI-ウィンドウでSIB-1は１回送信される。各SI-ウィンドウ内で、SIメッセージを送信する時期（具体的にはサブフレーム）および周波数帯は、無線基地局がダイナミックスケジューリングを用いて動的に決定する。
【０００８】
背景技術２
3GシステムおよびLTEシステムにおいては、無線基地局（3GシステムではNode B、LTEシステムではeNB）は、定期的に移動局に着信があるか否かを通知する。移動局は、アイドルモードでは間欠受信（DRX）を使用して、無線基地局からのページングメッセージ（着信を知らせるメッセージ）を受信するように規定されている（例えば、非特許文献２、Section 7）。
【０００９】
LTEシステムに関する非特許文献２では、ページングメッセージが送信されるサブフレームであるPaging Occasion（PO）と、Paging Occasionを含みうる無線フレームであるPaging Frame（PF）を下記のように計算するように規定されている。POおよびPFは、無線基地局（eNB）と移動局の両方で計算される。
【００１０】
PFのシステムフレーム番号（SFN）は、下記の式から求められる。
SFN mod T= (T div N) * (UE_ID mod N)
ここで、Tは、ページングメッセージを受信するための移動局のDRXサイクルであり、無線フレームの数で表される。Nは、TとnBのうち最小値である。nBは、4T, 2T, T, T/2, T/4, T/8, T/16, およびT/32から選択される値である。
【００１１】
また、UE_IDは、下記の式から求められる。
UE_ID = IMSI mod 1024
ここで、IMSIは移動局のIMSI（International Mobile Subscriber Identity）であり、移動局は移動局自身のIMSIを知っている。移動局は、MME（Mobile Management Entity）に移動局のIMSIを通知し、MMEは無線基地局にそのIMSIを通知する。
【００１２】
このようにして求められたPFのうち、POのサブフレーム番号は、下記のように求められる。まず下記の式により、インデックスi_sを求める。
i_s = floor(UE_ID/N) mod Ns
ここで、Nsは、１とnB/Tのうち最大値である。
【００１３】
次に、表１または表２からNsとインデックスi_sに対応するPOを求める。表１はLTE FDD（Frequency Division Duplex）システムに適用され、表２はLTE TDD（Time Division Duplex）システムに適用される。表１および表２において、N/Aは非適用を表す。
【００１４】
【表１】
0005281699.tif 000002
【表２】
0005281699.tif 000003
【００１５】
このようにして定められた定期的なPFのPOにおいて、ページングメッセージが無線基地局から送信されて移動局で受信される。
【００１６】
背景技術３
LTEシステムでは、PDCCH（Physical Downlink Control Channel、下りリンク制御チャネル）について間欠受信（DRX）が使用される（非特許文献３、Section 5.7）。より具体的には、無線基地局と移動局とが接続中であり、かつ、通信すべきデータが存在しない場合には、PDCCHで送信される下り制御信号を移動局は間欠的に受信する。移動局がPDCCHの下り制御信号を受信する期間はオン期間（on duration）と呼ばれる。移動局は常に受信回路を起動するのではなく、オン期間のみPDCCHの信号を監視するために受信回路を起動するので、電力消費を節約することができる。
【００１７】
図３はPDCCHの間欠受信の一例を示す。オン期間の間に受信回路が起動され、他の場合には受信回路は非起動である。Long DRX Cycleは、オン期間の周期を示す。Long DRX Cycle Start Offsetは、オン期間の始期を示す。オン期間は、Long DRX CycleとLong DRX Cycle Start Offsetで特定される。オン期間の長さは１〜２００サブフレームであり、Long DRX Cycleは１０〜２５６０サブフレームである。無線基地局は、その無線基地局が管理するパラメータに基づいて、その無線基地局に接続中の移動局にオン期間を割り当て、割り当てたオン期間を移動局に通知する。
【００１８】
背景技術４
LTEシステムでは、サービングセルの周波数帯とは異なる周波数帯での品質測定が移動局において行われる場合、サービング基地局は、移動局に測定ギャップ（Measurement Gap）を割り当てる。すなわち、サービング基地局が使用する周波数帯とは異なる周波数帯を使用する隣接基地局に移動局をハンドオーバする可能性がある場合には、サービング基地局は、この移動局が隣接基地局の周波数帯の品質を測定することが可能になるように（すなわち異周波測定が可能になるように）、この移動局に測定ギャップの起動を指示する。
【００１９】
測定ギャップにおいては、移動局は隣接基地局が使用する周波数帯の品質を測定する。すなわち、測定ギャップは移動局の異周波測定のための異周波測定期間である。測定ギャップにおいては、移動局はサービング基地局からの信号の受信はできない。このため、サービング基地局は、測定ギャップではこの移動局宛てにデータを送信しない（非特許文献１、Section 5.5.1および非特許文献４、Section 8.1.2.1）。
【００２０】
図４は測定ギャップの周期性を示す。測定ギャップの間に移動局は異周波測定を行い、他の場合にはサービング基地局と通信可能である。MGRP（Measurement Gap Repetition Period）は、測定ギャップの繰返し周期を示す。ギャップオフセット（gap offset）は、測定ギャップの始期を示す。測定ギャップは、MGRPとギャップオフセットで特定される。測定ギャップの長さは６ms（すなわち６サブフレーム）であり、MGRPの長さは40ms（すなわち４０サブフレーム）または80ms（すなわち８０サブフレーム）である（非特許文献４、Section 8.1.2.1）。サービング基地局は、そのサービング基地局に接続中の移動局に測定ギャップを割り当てる。
【先行技術文献】
【非特許文献】
【００２１】
【非特許文献１】3GPP TS 36.331 V10.3.0 (2011-09), 3rd Generation Partnership Project; Technical Specification Group Radio Access Network; Evolved Universal Terrestrial Radio Access (E-UTRA); "Radio Resource Control (RRC)"; Protocol specification, (Release 10), 2011年9月
【非特許文献２】3GPP TS 36.304 V10.3.0 (2011-09), 3rd Generation Partnership Project; Technical Specification Group Radio Access Network; Evolved Universal Terrestrial Radio Access (E-UTRA); "User Equipment (UE) procedures in idle mode", (Release 10), 2011年9月
【非特許文献３】3GPP TS 36.321 V10.3.0 (2011-09), 3rd Generation Partnership Project; Technical Specification Group Radio Access Network; Evolved Universal Terrestrial Radio Access (E-UTRA); "Medium Access Control (MAC) protocol specification", (Release 10), 2011年9月
【非特許文献４】3GPP TS 36.133 V10.4.0 (2011-09), 3rd Generation Partnership Project; Technical Specification Group Radio Access Network; Evolved Universal Terrestrial Radio Access (E-UTRA); "Requirements for support of radio resource management", (Release 10), 2011年9月
【発明の概要】
【発明が解決しようとする課題】
【００２２】
上記の通り、測定ギャップでは移動局はサービング基地局からの信号を受信せず、サービング基地局は移動局宛てに信号を送信しない。しかしながら、背景技術１に関連して説明したシステム情報の送信の時期と測定ギャップが重なってしまうことがありうる。システム情報は多数の移動局に報知されるが、測定ギャップでは、一部の移動局を除く移動局は報知情報を受信しない。このため移動局でシステム情報の欠落が生ずる。
【００２３】
また、背景技術２に関連して説明したPOと測定ギャップが重なってしまうことがありうる。ページングメッセージは複数の移動局からなるグループに受信されるが、測定ギャップでは、移動局はページングメッセージを受信しない。。このため移動局では着信を認識できないことがありうる。
【００２４】
また、背景技術３に関連して説明したオン期間と測定ギャップが重なってしまうことがありうる。測定ギャップでは、すべての移動局がPDCCHの信号を受信せず異周波測定を優先する。このため移動局では間欠受信における下り制御信号の欠落が生ずる。
【００２５】
そこで、本発明は、上記のいずれかの課題を解決する無線基地局を提供する。
【課題を解決するための手段】
【００２６】
本発明に係る無線基地局は、移動局へのシステム情報を送信するサブフレームである複数のシステム情報サブフレーム、前記移動局がアイドルモードでページングメッセージを受信するサブフレームである複数のページングサブフレーム、および下りリンク制御チャネルの間欠受信モードでの前記移動局の下りリンク制御チャネルの受信のオン期間に対応する複数のオン期間サブフレームの少なくともいずれかを特定するサブフレーム特定部と、前記サブフレーム特定部で特定されたサブフレームを回避しながら、前記移動局での異周波測定のための異周波測定期間を前記移動局に割り当てる異周波測定期間割り当て部とを備える。
本発明によれば、システム情報の送信の時期と移動局での異周波測定のための異周波測定期間の重なり、移動局のアイドルモードでのページングオケージョンと異周波測定期間の重なり、移動局の下りリンク制御チャネルの間欠受信でのオン期間と異周波測定期間の重なりの少なくともいずれかを回避することができる。
【００２７】
前記サブフレーム特定部は、前記異周波測定期間の繰り返し周期の長さに相対する複数の前記システム情報サブフレームの相対的な番号、前記異周波測定期間の繰り返し周期の長さに相対する複数の前記ページングサブフレームの相対的な番号、前記異周波測定期間の繰り返し周期の長さに相対する複数の前記オン期間サブフレームの相対的な番号の少なくともいずれかを、回避すべきサブフレームの番号として特定してもよい。一つの態様として、前記異周波測定期間割り当て部は、前記異周波測定期間の長さを有する連続する複数のサブフレームからなり、前記異周波測定期間の繰り返し周期の長さに相対するサブフレーム番号で特定されるブロックに前記回避すべきサブフレームの番号が含まれるか否か判断し、このブロックに前記回避すべきサブフレームの番号が含まれていなければ、このブロックを前記異周波測定期間として選択し、このブロックに前記回避すべきサブフレームの番号が含まれていれば、このブロックから１サブフレーム分シフトした次のブロックを指定する判断・選択工程を繰り返してもよい（第１の態様）。
【００２８】
この第１の態様では、各判断・選択工程で、異周波測定期間割り当て部は、異周波測定期間の長さを有する連続する複数のサブフレームからなるブロックに回避すべきサブフレームの番号が含まれるか否か判断し、このブロックに回避すべきサブフレームの番号が含まれていなければ、このブロックを異周波測定期間として選択して、移動局にその異周波測定期間を割り当てる。このブロックに回避すべきサブフレームの番号が含まれていれば、異周波測定期間割り当て部は、このブロックから１サブフレーム分シフトした次のブロックを指定して、そのブロックに回避すべきサブフレームの番号が含まれるか否か判断する。このような１サブフレーム分シフトした繰り返しの処理により、一般的には、最も早く異周波測定期間として適切なブロックを選択することができるので、異周波測定期間割り当て部の処理の負荷が軽い。
【００２９】
前記サブフレーム特定部は、前記異周波測定期間の繰り返し周期の長さに相対する複数の前記システム情報サブフレームの相対的な番号、前記異周波測定期間の繰り返し周期の長さに相対する複数の前記ページングサブフレームの相対的な番号、前記異周波測定期間の繰り返し周期の長さに相対する複数の前記オン期間サブフレームの相対的な番号の少なくともいずれかを、回避すべきサブフレームの番号として特定してもよい。一つの態様として、前記異周波測定期間割り当て部は、前記異周波測定期間の長さを有する連続する複数のサブフレームからなり、前記異周波測定期間の繰り返し周期の長さに相対するサブフレーム番号で特定されるブロックに前記回避すべきサブフレームの番号が含まれるか否か判断し、このブロックに前記回避すべきサブフレームの番号が含まれていなければ、このブロックを前記異周波測定期間として選択し、このブロックに前記回避すべきサブフレームの番号が含まれていれば、このブロックから複数サブフレーム分シフトした次のブロックを指定する判断・選択工程を繰り返してもよい（第２の態様）。
【００３０】
この第２の態様では、各判断・選択工程で、異周波測定期間割り当て部は、異周波測定期間の長さを有する連続する複数のサブフレームからなるブロックに回避すべきサブフレームの番号が含まれるか否か判断し、このブロックに回避すべきサブフレームの番号が含まれていなければ、このブロックを異周波測定期間として選択して、移動局にその異周波測定期間を割り当てる。このブロックに回避すべきサブフレームの番号が含まれていれば、異周波測定期間割り当て部は、このブロックから複数サブフレーム分シフトした次のブロックを指定して、そのブロックに回避すべきサブフレームの番号が含まれるか否か判断する。
第１の態様では、ブロックに回避すべきサブフレームの番号が含まれていれば、異周波測定期間割り当て部が、このブロックから１サブフレーム分シフトした次のブロックを指定して、そのブロックに回避すべきサブフレームの番号が含まれるか否か判断する。しかし、あるブロックに回避すべきサブフレームの番号が含まれている場合、そのブロックから１サブフレーム分だけシフトした次のブロックにも回避すべきサブフレーム番号が含まれる可能性が高い。したがって、第１の態様では、必ずしも最も早く異周波測定期間として適切なブロックを選択することができるとは限らない。一方、第２の態様では、ブロックに回避すべきサブフレームの番号が含まれていれば、異周波測定期間割り当て部は、このブロックから複数サブフレーム分シフトした次のブロックを指定して、そのブロックに回避すべきサブフレームの番号が含まれるか否か判断する。あるブロックに回避すべきサブフレームの番号が含まれている場合、複数サブフレーム離れた次のブロックには回避すべきサブフレーム番号が含まれない可能性が高い。したがって、第１の態様に比べて第２の態様の方が、最も早く異周波測定期間として適切なブロックを選択することができることがありうる。
【００３１】
前記異周波測定期間割り当て部は、前記回避すべきサブフレームの番号が含まれるか否か判断する最初のブロックを、異周波測定期間が割り当てられる移動局に応じて異なるように指定してもよい。常に同じブロックからこの判断を開始した場合には、ある移動局に割り当てられる異周波測定期間と他の移動局に割り当てられる異周波測定期間が一致したり部分的に重なったりすることがある。無線基地局が下りリンク送信に使用するリソースは有限であるから、サービング基地局が移動局にデータを送信しない期間である異周波測定期間が集中するのは好ましくはない。換言すれば、複数の移動局のそれぞれのデータを送信できる期間は互いに離れている方が望ましい。例えばLTEシステムでは、複数の移動局についてデータを送信できる期間が異なっていれば、移動局へのサブキャリアの割り当てを含むスケジューリングの制約が少ない。最初に判断を行うべきブロックを移動局に応じて異ならせることによって、複数の移動局に割り当てられる異周波測定期間が集中する事態を低減することができる。
【００３２】
前記サブフレーム特定部は、複数の前記システム情報サブフレーム、複数の前記ページングサブフレーム、および複数の前記オン期間サブフレームのいずれをも特定してもよい。この場合には、システム情報の送信の時期と移動局での異周波測定のための異周波測定期間の重なり、移動局のアイドルモードでのページングオケージョンと異周波測定期間の重なり、移動局の下りリンク制御チャネルの間欠受信でのオン期間と異周波測定期間の重なりのいずれをも回避することができる。
【図面の簡単な説明】
【００３３】
【図１】LTEシステムでの無線基地局からのシステム情報の送信の態様の例を示す図である。
【図２】LTEシステムでの無線基地局からのシステム情報の送信の態様のより詳細な例を示す図である。
【図３】LTEシステムでのPDCCHの間欠受信の一例を示す図である。
【図４】LTEシステムでの測定ギャップの周期性を示す図である。
【図５】本発明の実施の形態に係る無線基地局を示すブロック図である。
【図６】前記無線基地局でのシステム情報サブフレームの特定の一例を示す図である。
【図７】前記無線基地局でのシステム情報サブフレームの特定の一例を示す図である。
【図８】前記無線基地局でのページングサブフレームの特定の一例を示す図である。
【図９】前記無線基地局でのオン期間サブフレームの特定の一例を示す図である。
【図１０】前記無線基地局での異周波測定期間（測定ギャップ）の割り当ての方法の一例を示す図である。
【図１１】前記無線基地局での異周波測定期間（測定ギャップ）の割り当ての方法の他の一例を示す図である。
【図１２】図１１の続きである。
【図１３】前記無線基地局での異周波測定期間（測定ギャップ）の割り当ての方法の他の一例を示す図である。
【図１４】図１３の続きである。
【図１５】前記無線基地局での異周波測定期間（測定ギャップ）の割り当ての方法の他の一例を示す図である。
【図１６】前記無線基地局での異周波測定期間（測定ギャップ）の割り当ての方法の他の一例を示す図である。
【発明を実施するための形態】
【００３４】
以下、添付の図面を参照しながら本発明に係る様々な実施の形態を説明する。
図５に示すように、本発明の実施の形態に係る無線基地局１０は、移動局２０と無線通信するための送受信回路である送受信部１２を備える。また、無線基地局１０は、サブフレーム特定部１４と、異周波測定期間割り当て部１６とを備える。サブフレーム特定部１４および異周波測定期間割り当て部１６は、無線基地局１０の図示しないＣＰＵ（central processing unit）がコンピュータプログラムを実行し、そのコンピュータプログラムに従って機能することによって実現される機能ブロックである。この実施の形態に係る通信システムはLTEシステムであり、無線基地局１０はeNBであり、各移動局２０はUEである。
【００３５】
この実施の形態においては、無線基地局１０のサブフレーム特定部１４は、複数の移動局２０へのシステム情報を送信するサブフレームである複数のシステム情報サブフレーム、複数の移動局２０のアイドルモードでのページングメッセージを送信するサブフレームであるページングサブフレーム、および下りリンク制御チャネルの間欠受信モードでのある移動局２０の下りリンク制御チャネルの受信のオン期間に対応するオン期間サブフレームのいずれをも特定する。
【００３６】
無線基地局１０の異周波測定期間割り当て部１６は、サブフレーム特定部１４で特定されたサブフレームを回避しながら、移動局２０での異周波測定のための異周波測定期間（背景技術４に関連して上述した測定ギャップ）を移動局２０に割り当てる。移動局２０に割り当てられた異周波測定期間は、送受信部１２で送信される信号によりその移動局２０に通知される。
【００３７】
この実施の形態によれば、システム情報の送信の時期と移動局２０での異周波測定のための異周波測定期間（測定ギャップ）の重なり、移動局２０のアイドルモードでのページングオケージョンと異周波測定期間の重なり、移動局２０の下りリンク制御チャネルの間欠受信でのオン期間と異周波測定期間の重なりのいずれをも回避することができる。したがって、移動局でシステム情報の欠落を防止することができ、移動局で着信を認識できない事態を防止することができ、移動局での間欠受信における下り制御信号の欠落を防止することができる。
【００３８】
システム情報サブフレームの特定
無線基地局１０のサブフレーム特定部１４は、複数の移動局２０へのシステム情報を送信するサブフレームである複数のシステム情報サブフレームを、異周波測定期間割り当て部１６で測定ギャップと重ならないように回避すべきサブフレームとして特定する。
【００３９】
図２を参照して上述したように、SIB-1は短い再送周期（例えば20ms）で繰り返し送信されるので、SIB-1の特定の送信時期と測定ギャップが重なっても、その後のいずれかの時期にSIB-1は移動局２０で受信される。また、図２を参照して上述したように、MIBは短い再送周期（例えば10ms）で繰り返し送信されるので、MIBの特定の送信時期と測定ギャップが重なっても、その後のいずれかの時期にMIBは移動局２０で受信される。これに対して、各SIメッセージは、長い周期で発生するSI-ウィンドウで送信される。一旦、移動局２０がSIメッセージを受信しなかった場合に、次に受信できるまでの期間が長い。そこで、この実施の形態では、異周波測定期間割り当て部１６で回避すべきシステム情報サブフレームとして、SIメッセージを送信するサブフレームを特定する。
【００４０】
より具体的には、サブフレーム特定部１４は、異周波測定期間の繰り返し周期（背景技術４に関連して上述したMGRP）の長さに相対する複数のシステム情報サブフレーム（SIメッセージを送信する複数のサブフレーム）の個々の相対的な番号を、測定ギャップと重ならないように回避すべき複数のサブフレームの番号ASNとして特定する。その特定は以下の式（１）に従う。
【００４１】
ASN = ((SIN - 1) * LSI-W + SISN) mod LMGRP      ...（１）
ここで、SINはSIメッセージの番号である。例えば図１および図２のSIメッセージSI-1についてはSINは１であり、SIメッセージSI-2についてはSINは２である。
【００４２】
LSI-Wは、SI-ウィンドウの長さであって、ms（すなわちサブフレームの個数）で表される。SI-ウィンドウの長さは可変であるが、図２の例では、SI-ウィンドウの長さは20msであるので、LSI-Wは20である。
【００４３】
SISNは、SI-ウィンドウ内でSIメッセージが送信されるサブフレームの番号（順序数）である。例えば、図２の最も左側のSI-ウィンドウ（SI-1のためのSI-ウィンドウ）では、SI-1は３番目、８番目、１３番目、１８番目のサブフレームで送信される。この場合、SISNは３、８、１３、および１８である。
【００４４】
LMGRPは、MGRPの長さであって、ms（すなわちサブフレームの個数）で表される。3GPP TS 36.133 V10.4.0, Section 8.1.2.1によれば、MGRPは40ms（すなわち４０サブフレーム）または80ms（すなわち８０サブフレーム）であるので、LMGRPは40または80である。
【００４５】
以上のようにして、MGRPの長さを基準とする複数のシステム情報サブフレームの個々の相対的な番号ASNを、各SIメッセージについて得ることができる。理解の便宜のため、MGRPの長さに相対するSIメッセージを送信する複数のサブフレームの個々の相対的な時間軸上の位置を図６および図７に示す。図６および図７において、MGRPの始期がSI-Periodicity（3GPP TS 36.133 V10.4.0参照）の始期に一致する。図６および図７において、SIメッセージSI-1、SI-2、SI-3、SI-4を送信するシステム情報サブフレームが黒く塗りつぶされている。式（１）によれば、これらのシステム情報サブフレームの相対的な番号ASNが得られる。
【００４６】
式（１）によれば、SI-Periodicityにおける各々のSIメッセージの最初のSI-ウィンドウ内のシステム情報サブフレームの相対的な番号ASNが得られる。各SIメッセージのSI-ウィンドウの周期（160ms、320ms、640ms、1280ms、...）は、MGRPの長さ（40msまたは80ms）の整数倍であるので、１つのMGRPの中に同種のSIメッセージの複数のSI-ウィンドウが含まれることはない。したがって、SI-Periodicityにおける各々のSIメッセージの最初のSI-ウィンドウ内のシステム情報サブフレームの相対的な番号ASNを特定することで、システム情報サブフレームを回避しながら測定ギャップを選択することができる。
【００４７】
図６は、SI-Periodicityにおける各々のSIメッセージの最初のSI-ウィンドウの長さの合計がMGRP未満である場合を示す。図６の場合には、式（１）の代わりに式（２）が使用できる。SI-Periodicityにおける各々のSIメッセージの最初のSI-ウィンドウの長さの合計がMGRPと等しい場合も式（２）が使用できる。
ASN = ((SIN - 1) * LSI-W + SISN)      ...（２）
【００４８】
図７は、SI-Periodicityにおける各々のSIメッセージの最初のSI-ウィンドウの長さの合計がMGRPより大である場合を示す。図７の最初のMGRPの範囲内にあるシステム情報サブフレームについては式（２）が使用できるが、最初のMGRPの範囲外にあるシステム情報サブフレームについては式（２）は不適切である。しかし、図７に示すように、最初のMGRPの範囲外にあるシステム情報サブフレームは、次のMGRPの範囲内にあり、これらのシステム情報サブフレームの相対位置を特定するべきである。よって一般式である式（１）が図６の場合と図７の場合の両方に使用される。
【００４９】
ページングサブフレームの特定
無線基地局１０のサブフレーム特定部１４は、アイドルモードにある移動局のために間欠的に無線基地局１０がページングメッセージを送信するサブフレームである複数のページングサブフレームを、異周波測定期間割り当て部１６で測定ギャップと重ならないように回避すべきサブフレームとして特定する。
【００５０】
背景技術２に関連して上述したように、無線基地局１０と移動局２０は、ページングメッセージが送信されるサブフレームであるPaging Occasion（PO）と、Paging Occasionを含みうる無線フレームであるPaging Frame（PF）を計算する。POがページングサブフレームである。PFおよびPOの計算のためには、IMSIを知っている必要がある。移動局は移動局自身のIMSIを知っている。移動局は、MME（Mobile Management Entity）にNAS (Non-Access Stratum)信号で移動局のIMSIを通知し、MMEは無線基地局にそのIMSIを通知する。
【００５１】
サブフレーム特定部１４は、異周波測定期間の繰り返し周期（MGRP）の長さに相対する複数のページングサブフレーム（すなわちページングオケージョン、PO）の個々の相対的な番号を、測定ギャップと重ならないように回避すべき複数のサブフレームの番号BSNとして特定する。理解の便宜のため、MGRPの長さに相対するページングメッセージを送信する複数のページングサブフレームの個々の相対的な時間軸上の位置を図８に示す。
【００５２】
まず、サブフレーム特定部１４は、ページングDRXサイクルTとMGRPの長さLMGRPの最小公倍数LCM1を計算する。最小公倍数LCM1の時間長さの単位は、ms（すなわちサブフレームの個数）であり、ページングDRXサイクルTとMGRPの長さLMGRPはmsで表される。図８に示すように、最初のMGRPの範囲外にあるページングサブフレーム（PO）は他のMGRPの範囲内にあり、これらのページングサブフレームの時間軸上のMGRPに相対する位置を特定すべきである。但し、最小公倍数LCM1に相当する時間が経過した後は、ページングサブフレームの時間軸上のMGRPに相対する出現位置のパターンは、経過前と同様の出現位置のパターンと同じである。よって、ページングサブフレームの出現のパターンは、最小公倍数LCM1の範囲で把握すればよい。
【００５３】
最小公倍数LCM1の計算の後、サブフレーム特定部１４は、ページングサブフレームの番号BSNを以下の式（３）に従って特定する。
BSN = (10 * (NPF + T * m) + NPO) mod LMGRP      ...（３）
ここで、NPFはPFのシステムフレーム番号である。Tはページングメッセージを受信するための移動局のDRXサイクル（ページングDRXサイクル）であり、無線フレームの数で表される。NPOはPOのサブフレーム番号である。LMGRPは、MGRPの長さであって、ms（すなわちサブフレームの個数）で表される。上記の通り、LMGRPは40または80である。
mは、以下の範囲にある整数であって、これらの整数はすべて式（３）にmとして代入される。つまり、mは、ページングサブフレームの時間軸上のMGRPに相対する位置を特定する範囲を示す。
m = 0, 1, ..., (LCM1/T) - 1
ここで、ページングDRXサイクルTの時間長さの単位は、最小公倍数LCM1の時間長さの単位（ms）と合致していなければならないので、Tはmsで表される。
【００５４】
以上のようにして、MGRPの長さを基準とする複数のページングサブフレームの個々の相対的な番号BSNを得ることができる。
【００５５】
オン期間サブフレームの特定
無線基地局１０のサブフレーム特定部１４は、PDCCHについての移動局の間欠受信のために間欠的に無線基地局１０がPDCCHの下り制御信号を送信するサブフレームであるオン期間サブフレームを、異周波測定期間割り当て部１６で測定ギャップと重ならないように回避すべきサブフレームとして特定する。
【００５６】
背景技術３に関連して上述したように、無線基地局１０は、その無線基地局に接続中の移動局２０にオン期間を割り当て、割り当てたオン期間を移動局２０に通知する。
【００５７】
サブフレーム特定部１４は、異周波測定期間の繰り返し周期（MGRP）の長さに相対する複数のオン期間サブフレームの個々の相対的な番号を、測定ギャップと重ならないように回避すべき複数のサブフレームの番号CSNとして特定する。理解の便宜のため、MGRPの長さに相対するPDCCH信号を送信する複数のオン期間サブフレームの個々の相対的な時間軸上の位置を図９に示す。
【００５８】
まず、サブフレーム特定部１４は、Long DRX Cycle TとMGRPの長さLMGRPの最小公倍数LCM2を計算する。最小公倍数LCM2の時間長さの単位は、ms（すなわちサブフレームの個数）であり、Long DRX Cycle TとMGRPの長さLMGRPはmsで表される。図９に示すように、最初のMGRPの範囲外にあるオン期間サブフレームは他のMGRPの範囲内にあり、これらのオン期間サブフレームの時間軸上のMGRPに相対する位置を特定すべきである。但し、最小公倍数LCM2に相当する時間が経過した後は、オン期間サブフレームの時間軸上のMGRPに相対する出現位置のパターンは、経過前と同様の出現位置のパターンと同じである。よって、オン期間サブフレームの出現のパターンは、最小公倍数LCM2の範囲で把握すればよい。
【００５９】
最小公倍数LCM2の計算の後、サブフレーム特定部１４は、オン期間サブフレームの番号CSNを以下の式（４）に従って特定する。
CSN = (LSO + LC * p + q) mod LMGRP      ...（４）
ここで、LSOはLong DRX Cycle Start Offsetの長さであって、ms（すなわちサブフレームの個数）で表される。LCはLong DRX Cycleの長さであって、ms（すなわちサブフレームの個数）で表される。
【００６０】
pは、以下の範囲にある整数であって、これらの整数はすべて式（４）にpとして代入される。つまり、pは、オン期間サブフレームの時間軸上のMGRPに相対する位置を特定する範囲を示す。
p = 0, 1, ..., (LCM2/LC) - 1
【００６１】
qは、以下の範囲にある整数であって、これらの整数はすべて式（４）にqとして代入される。
q =  - 1, 0, 1, ..., Lod
【００６２】
ここで、Lodは、onDuration Timerの値（3GPP TS 36.321 V10.3.0および3GPP TS 36.331 V10.0.0参照）、すなわちオン期間の長さであり、サブフレームの個数で表される。つまり、qは、オン期間の直前の１サブフレームからオン期間の終了までを示す。LSO = 0, p = 0の場合には、LCM2 - 1をqとして式（４）に代入する。
【００６３】
以上のようにして、MGRPの長さを基準とする複数のオン期間サブフレームの個々の相対的な番号CSNを得ることができる。
【００６４】
異周波測定期間割り当ての実施の形態
無線基地局１０の異周波測定期間割り当て部１６は、サブフレーム特定部１４で特定されたサブフレームを回避しながら、移動局２０での異周波測定期間（測定ギャップ）を移動局２０に割り当てる。より具体的には、異周波測定期間割り当て部１６は、測定ギャップの長さを有する連続する複数のサブフレームからなるブロック（群）に回避すべきサブフレームの番号ASN, BSN, CSNが含まれるか否か判断し、このブロックに回避すべきサブフレームの番号ASN, BSN, CSNが含まれていなければ、このブロックを測定ギャップとして選択し、このブロックに回避すべきサブフレームの番号ASN, BSN, CSNが含まれていれば、次のブロックを指定する判断・選択工程を繰り返す。以下、ブロックに回避すべきサブフレームの番号ASN, BSN, CSNが含まれるか否か判断することを検索と呼ぶ。
【００６５】
図１０は、測定ギャップの割り当て方法の一例を示す。この例では、異周波測定期間の繰り返し周期であるMGRPの長さは40ms（すなわち４０サブフレーム）である。但し、以下に説明する測定ギャップの割り当て方法を80msの長さを有するMGRPでも応用することができる。
【００６６】
まず異周波測定期間割り当て部１６は、MGRPのうち最初に検索を行うべきブロック（群）を指定する。ブロックは、測定ギャップの長さ６ms（すなわち６サブフレーム）を有し、MGRPの長さに相対するサブフレーム番号で特定される。第１回検索を行うべきブロックはどれでもよいが、図１０の例では、サブフレーム番号40, 1, 2, 3, 4, 5で特定されるブロックが指定されたと想定する。異周波測定期間割り当て部１６は、先頭のサブフレーム番号40を選択することで、このブロック（サブフレーム番号40, 1, 2, 3, 4, 5）を第１回検索対象にする。
【００６７】
第１回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号40をギャップオフセットとして選択する。これにより、システム情報サブフレーム、ページングサブフレーム、およびオン期間サブフレームを回避して、測定ギャップを選択して、その測定ギャップを移動局２０に割り当てることができる。
【００６８】
第１回検索でこのブロックに番号ASN, BSN, CSNのいずれかが含まれていれば、異周波測定期間割り当て部１６は、第２回検索の対象である次のブロックを指定する。次のブロックは、直前に検索されたブロック（サブフレーム番号40, 1, 2, 3, 4, 5）から１サブフレーム分シフトしたブロック（サブフレーム番号39, 40, 1, 2, 3, 4）である。異周波測定期間割り当て部１６は、直前に検索されたブロックの先頭のサブフレーム番号40から１を差し引いた先頭のサブフレーム番号39を選択することで、このブロック（サブフレーム番号39, 40, 1, 2, 3, 4）を新たな検索対象にする。
【００６９】
第２回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号39をギャップオフセットとして選択する。
【００７０】
第２回検索でこのブロックに番号ASN, BSN, CSNのいずれかが含まれていれば、異周波測定期間割り当て部１６は、第３回検索の対象である次のブロックを指定する。次のブロックは、直前に検索されたブロック（サブフレーム番号39, 40, 1, 2, 3, 4）から１サブフレーム分シフトしたブロック（サブフレーム番号38, 39, 40, 1, 2, 3）である。異周波測定期間割り当て部１６は、直前に検索されたブロックの先頭のサブフレーム番号39から測定ギャップの長さ１を差し引いた先頭のサブフレーム番号38を選択することで、このブロック（サブフレーム番号38, 39, 40, 1, 2, 3）を新たな検索対象にする。
【００７１】
第３回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号38をギャップオフセットとして選択する。
【００７２】
第３回検索でこのブロックに番号ASN, BSN, CSNのいずれかが含まれていれば、異周波測定期間割り当て部１６は、第４回検索の対象である次のブロックを指定する。次のブロックは、直前に検索されたブロック（サブフレーム番号38, 39, 40, 1, 2, 3）から１サブフレーム分シフトしたブロック（サブフレーム番号37, 38, 39, 40, 1, 2）である。異周波測定期間割り当て部１６は、直前に検索されたブロックの先頭のサブフレーム番号38から１を差し引いた先頭のサブフレーム番号37を選択することで、このブロック（サブフレーム番号37, 38, 39, 40, 1, 2）を新たな検索対象にする。
【００７３】
第４回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号37をギャップオフセットとして選択する。以降、番号ASN, BSN, CSNのいずれも含まれていないブロックが発見されれば、そのブロックが測定ギャップとして選択される。そうでない限り、直前に検索されたブロックから１サブフレーム分離れた次のブロックへのシフトが繰り返される。最大で40回（MGRPに含まれるサブフレームの数）の検索が行われる。
【００７４】
図１０を参照して説明したこの第１の実施の形態では、各判断・選択工程で、異周波測定期間割り当て部１６は、測定ギャップの長さを有する連続する複数のサブフレームからなるブロックに回避すべきサブフレームの番号ASN, BSN, CSNが含まれるか否か判断し、このブロックに回避すべきサブフレームの番号ASN, BSN, CSNが含まれていなければ、このブロックを測定ギャップとして選択して、移動局２０にその測定ギャップを割り当てる。このブロックに回避すべきサブフレームの番号ASN, BSN, CSNが含まれていれば、異周波測定期間割り当て部１６は、このブロックから１サブフレーム分シフトした次のブロックを指定して、そのブロックに回避すべきサブフレームの番号ASN, BSN, CSNが含まれるか否か判断する。このような１サブフレーム分シフトした繰り返しの処理により、一般的には、最も早く測定ギャップとして適切なブロックを選択することができるので、異周波測定期間割り当て部１６の処理の負荷が軽い。
【００７５】
異周波測定期間割り当ての他の実施の形態
図１１および図１２は、測定ギャップの割り当て方法の他の一例を示す。この例では、異周波測定期間の繰り返し周期であるMGRPの長さは40ms（すなわち４０サブフレーム）である。但し、以下に説明する測定ギャップの割り当て方法を80msの長さを有するMGRPでも応用することができる。
【００７６】
まず異周波測定期間割り当て部１６は、MGRPのうち最初に検索を行うべきブロック（群）を指定する。ブロックは、測定ギャップの長さ６ms（すなわち６サブフレーム）を有し、MGRPの長さに相対するサブフレーム番号で特定される。第１回検索を行うべきブロックはどれでもよいが、図１１の例では、サブフレーム番号40, 1, 2, 3, 4, 5で特定されるブロックが指定されたと想定する。異周波測定期間割り当て部１６は、先頭のサブフレーム番号40を選択することで、このブロック（サブフレーム番号40, 1, 2, 3, 4, 5）を第１回検索対象にする。
【００７７】
第１回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号40をギャップオフセットとして選択する。これにより、システム情報サブフレーム、ページングサブフレーム、およびオン期間サブフレームを回避して、測定ギャップを選択して、その測定ギャップを移動局２０に割り当てることができる。
【００７８】
第１回検索でこのブロックに番号ASN, BSN, CSNのいずれかが含まれていれば、異周波測定期間割り当て部１６は、第２回検索の対象である次のブロックを指定する。次のブロックは、直前に検索されたブロック（サブフレーム番号40, 1, 2, 3, 4, 5）から１ブロックの長さ分シフトしたブロック（サブフレーム番号34, 35, 36, 37, 38, 39）である。異周波測定期間割り当て部１６は、直前に検索されたブロックの先頭のサブフレーム番号40から測定ギャップの長さ６を差し引いた先頭のサブフレーム番号34を選択することで、このブロック（サブフレーム番号34, 35, 36, 37, 38, 39）を新たな検索対象にする。
【００７９】
第２回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号34をギャップオフセットとして選択する。
【００８０】
第２回検索でこのブロックに番号ASN, BSN, CSNのいずれかが含まれていれば、異周波測定期間割り当て部１６は、第３回検索の対象である次のブロックを指定する。次のブロックは、直前に検索されたブロック（サブフレーム番号34, 35, 36, 37, 38, 39）から１ブロックの長さ分シフトしたブロック（サブフレーム番号28, 29, 30, 31, 32, 33）である。異周波測定期間割り当て部１６は、直前に検索されたブロックの先頭のサブフレーム番号34から測定ギャップの長さ６を差し引いた先頭のサブフレーム番号28を選択することで、このブロック（サブフレーム番号28, 29, 30, 31, 32, 33）を新たな検索対象にする。
【００８１】
第３回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号28をギャップオフセットとして選択する。
【００８２】
第３回検索でこのブロックに番号ASN, BSN, CSNのいずれかが含まれていれば、異周波測定期間割り当て部１６は、第４回検索の対象である次のブロックを指定する。次のブロックは、直前に検索されたブロック（サブフレーム番号28, 29, 30, 31, 32, 33）から１ブロックの長さ分シフトしたブロック（サブフレーム番号22, 23, 24, 25, 26, 27）である。異周波測定期間割り当て部１６は、直前に検索されたブロックの先頭のサブフレーム番号28から測定ギャップの長さ６を差し引いた先頭のサブフレーム番号28を選択することで、このブロック（サブフレーム番号22, 23, 24, 25, 26, 27）を新たな検索対象にする。
【００８３】
第４回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号22をギャップオフセットとして選択する。こうして、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。
【００８４】
先頭のサブフレーム番号が６未満であるブロック（サブフレーム番号4, 5, 6, 7, 8, 9）に対する第７回検索でこのブロックに番号ASN, BSN, CSNのいずれかが含まれていれば、異周波測定期間割り当て部１６は、第８回検索の対象である次のブロックを指定する。次のブロックは、直前に検索されたブロック（サブフレーム番号4, 5, 6, 7, 8, 9）から１ブロックの長さ分ではなく５サブフレーム分シフトしたブロック（サブフレーム番号39, 40, 1, 2, 3, 4）である。
【００８５】
第８回検索の対象であるブロック（サブフレーム番号39, 40, 1, 2, 3, 4）は、第１回検索対象のブロック（サブフレーム番号40, 1, 2, 3, 4, 5）と一部重なるが、第１回検索対象のブロックに番号ASN, BSN, CSNのいずれも含まれないからといって、第８回検索対象のブロックに番号ASN, BSN, CSNのいずれも含まれないとは限らないので、第８回検索も実行される。
【００８６】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。第８回〜第１４回検索対象は、第１回〜第７回検索対象からそれぞれ１サブフレームずれる。
【００８７】
先頭のサブフレーム番号が６未満であるブロック（サブフレーム番号3, 4, 5, 6, 7, 8）に対する第１４回検索でこのブロックに番号ASN, BSN, CSNのいずれかが含まれていれば、異周波測定期間割り当て部１６は、第１５回検索の対象である次のブロックを指定する。次のブロックは、直前に検索されたブロック（サブフレーム番号3, 4, 5, 6, 7, 8）から１ブロックの長さ分ではなく５サブフレーム分シフトしたブロック（サブフレーム番号38, 39, 40, 1, 2, 3）である。
【００８８】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。第１５回〜第２１回検索対象は、第８回〜第１４回検索対象からそれぞれ１サブフレームずれる。
【００８９】
先頭のサブフレーム番号が６未満であるブロック（サブフレーム番号2, 3, 4, 5, 6, 7）に対する第２１回検索でこのブロックに番号ASN, BSN, CSNのいずれかが含まれていれば、異周波測定期間割り当て部１６は、第２２回検索の対象である次のブロックを指定する。図１１と図１２に示すように、次のブロックは、直前に検索されたブロック（サブフレーム番号2, 3, 4, 5, 6, 7）から１ブロックの長さ分ではなく５サブフレーム分シフトしたブロック（サブフレーム番号37, 38, 39, 40, 1, 2）である。
【００９０】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。第２２回〜第２８回検索対象は、第１５回〜第２１回検索対象からそれぞれ１サブフレームずれる。
【００９１】
先頭のサブフレーム番号が６未満であるブロック（サブフレーム番号1, 2, 3, 4, 5, 6）に対する第２８回検索でこのブロックに番号ASN, BSN, CSNのいずれかが含まれていれば、異周波測定期間割り当て部１６は、第２９回検索の対象である次のブロックを指定する。図１２に示すように、次のブロックは、直前に検索されたブロック（サブフレーム番号1, 2, 3, 4, 5, 6）から１ブロックの長さ分ではなく５サブフレーム分シフトしたブロック（サブフレーム番号36, 37, 38, 39, 40, 1）である。
【００９２】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。第２９回〜第３４回検索対象は、第２２回〜第２７回検索対象からそれぞれ１サブフレームずれる。
【００９３】
先頭のサブフレーム番号が６未満であるブロック（サブフレーム番号6, 7, 8, 9, 10, 11）に対する第３４回検索でこのブロックに番号ASN, BSN, CSNのいずれかが含まれていれば、異周波測定期間割り当て部１６は、第３５回検索の対象である次のブロックを指定する。図１２に示すように、次のブロックは、直前に検索されたブロック（サブフレーム番号6, 7, 8, 9, 10, 11）から１ブロックの長さ分ではなく１１サブフレーム分シフトしたブロック（サブフレーム番号35, 36, 37, 38, 39, 40）である。
【００９４】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。最大で40回（MGRPに含まれるサブフレームの数）の検索が行われる。第３５回〜第４０回検索対象は、第２９回〜第３４回検索対象からそれぞれ１サブフレームずれる。
【００９５】
図１１および図１２を参照して説明したこの第２の実施の形態では、各判断・選択工程で、異周波測定期間割り当て部１６は、測定ギャップの長さを有する連続する複数のサブフレームからなるブロックに回避すべきサブフレームの番号ASN, BSN, CSNが含まれるか否か判断し、このブロックに回避すべきサブフレームの番号ASN, BSN, CSNが含まれていなければ、このブロックを測定ギャップとして選択して、移動局２０にその測定ギャップを割り当てる。このブロックに回避すべきサブフレームの番号ASN, BSN, CSNが含まれていれば、異周波測定期間割り当て部１６は、このブロックから１ブロックの長さ（測定ギャップの長さ）である６サブフレーム分または５サブフレーム分シフトした次のブロックを指定して、そのブロックに回避すべきサブフレームの番号ASN, BSN, CSNが含まれるか否か判断する。
【００９６】
図１０を参照して説明した第１の実施の形態では、ブロックに回避すべきサブフレームの番号が含まれていれば、異周波測定期間割り当て部１６が、このブロックから１サブフレーム分シフトした隣のブロックを指定して、そのブロックに回避すべきサブフレームの番号ASN, BSN, CSNが含まれるか否か判断する。しかし、あるブロックに回避すべきサブフレームの番号が含まれている場合、そのブロックから１サブフレーム分だけシフトした次のブロックにも回避すべきサブフレーム番号が含まれる可能性が高い。したがって、第１の実施の形態では、必ずしも最も早く測定ギャップとして適切なブロックを選択することができるとは限らない。一方、図１１および図１２を参照して説明した第２の実施の形態では、ブロックに回避すべきサブフレームの番号ASN, BSN, CSNが含まれていれば、異周波測定期間割り当て部１６は、このブロックから複数サブフレーム分シフトした次のブロックを指定して、そのブロックに回避すべきサブフレームの番号ASN, BSN, CSNが含まれるか否か判断する。あるブロックに回避すべきサブフレームの番号が含まれている場合、複数サブフレーム離れた次のブロックには回避すべきサブフレーム番号が含まれない可能性が高い。したがって、第１の実施の形態に比べて第２の実施の形態の方が、最も早く測定ギャップとして適切なブロックを選択することができることがありうる。
【００９７】
異周波測定期間割り当ての他の実施の形態
図１３および図１４は、測定ギャップの割り当て方法の他の一例を示す。この例でも、異周波測定期間の繰り返し周期であるMGRPの長さは40ms（すなわち４０サブフレーム）である。但し、以下に説明する測定ギャップの割り当て方法を80msの長さを有するMGRPでも応用することができる。
【００９８】
まず異周波測定期間割り当て部１６は、MGRPのうち最初に検索を行うべきブロックを指定する。第１回検索を行うべきブロックはどれでもよいが、図１３の例では、サブフレーム番号33, 34, 35, 36, 37, 38で特定されるブロックが指定されたと想定する。異周波測定期間割り当て部１６は、先頭のサブフレーム番号33を選択することで、このブロック（サブフレーム番号33, 34, 35, 36, 37, 38）を第１回検索対象にする。
【００９９】
第１回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号33をギャップオフセットとして選択する。これにより、システム情報サブフレーム、ページングサブフレーム、およびオン期間サブフレームを回避して、測定ギャップを選択して、その測定ギャップを移動局２０に割り当てることができる。
【０１００】
第１回検索でこのブロックに番号ASN, BSN, CSNのいずれかが含まれていれば、異周波測定期間割り当て部１６は、第２回検索の対象である次のブロックを指定する。次のブロックは、直前に検索されたブロック（サブフレーム番号33, 34, 35, 36, 37, 38）から１ブロックの長さ分シフトしたブロック（サブフレーム番号27, 28, 29, 30, 30, 31, 32）である。異周波測定期間割り当て部１６は、直前に検索されたブロックの先頭のサブフレーム番号33から測定ギャップの長さ６を差し引いた先頭のサブフレーム番号27を選択することで、このブロック（サブフレーム番号27, 28, 29, 30, 30, 31, 32）を新たな検索対象にする。
【０１０１】
第２回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号27をギャップオフセットとして選択する。
【０１０２】
第２回検索でこのブロックに番号ASN, BSN, CSNのいずれかが含まれていれば、異周波測定期間割り当て部１６は、第３回検索の対象である次のブロックを指定する。次のブロックは、直前に検索されたブロック（サブフレーム番号27, 28, 29, 30, 30, 31, 32）から１ブロックの長さ分シフトしたブロック（サブフレーム番号21, 22, 23, 24, 25, 26）である。異周波測定期間割り当て部１６は、直前に検索されたブロックの先頭のサブフレーム番号27から測定ギャップの長さ６を差し引いた先頭のサブフレーム番号21を選択することで、このブロック（サブフレーム番号21, 22, 23, 24, 25, 26）を新たな検索対象にする。
【０１０３】
第３回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号21をギャップオフセットとして選択する。
【０１０４】
第３回検索でこのブロックに番号ASN, BSN, CSNのいずれかが含まれていれば、異周波測定期間割り当て部１６は、第４回検索の対象である次のブロックを指定する。次のブロックは、直前に検索されたブロック（サブフレーム番号21, 22, 23, 24, 25, 26）から１ブロックの長さ分シフトしたブロック（サブフレーム番号15, 16, 17, 18, 19, 20）である。異周波測定期間割り当て部１６は、直前に検索されたブロックの先頭のサブフレーム番号21から測定ギャップの長さ６を差し引いた先頭のサブフレーム番号15を選択することで、このブロック（サブフレーム番号15, 16, 17, 18, 19, 20）を新たな検索対象にする。
【０１０５】
第４回検索でこのブロックに番号ASN, BSN, CSNのいずれも含まれていなければ、異周波測定期間割り当て部１６は、このブロックを測定ギャップとして選択する。具体的には、そのブロックの先頭のサブフレーム番号15をギャップオフセットとして選択する。こうして、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。
【０１０６】
先頭のサブフレーム番号が６未満であるブロック（サブフレーム番号3, 4, 5, 6, 7, 8）に対する第６回検索でこのブロックに番号ASN, BSN, CSNのいずれかが含まれていれば、異周波測定期間割り当て部１６は、第７回検索の対象である次のブロックを指定する。次のブロックは、直前に検索されたブロック（サブフレーム番号3, 4, 5, 6, 7, 8）からやはり１ブロックの長さ分シフトしたブロック（サブフレーム番号37, 38, 39, 40, 1, 2）である。
【０１０７】
第７回検索の対象であるブロック（サブフレーム番号37, 38, 39, 40, 1, 2）は、第１回検索対象のブロック（サブフレーム番号33, 34, 35, 36, 37, 38）を第１回検索対象と一部重なるが、第１回検索対象のブロックに番号ASN, BSN, CSNのいずれも含まれないからといって、第７回検索対象のブロックに番号ASN, BSN, CSNのいずれも含まれないとは限らないので、第７回検索も実行される。
【０１０８】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。第８回〜第１３回検索対象は、第１回〜第６回検索対象からそれぞれ２サブフレームずれる。第１４回〜第２０回検索対象は、第７回〜第１３回検索対象からそれぞれ２サブフレームずれる。
【０１０９】
第２０回検索でこのブロックに番号ASN, BSN, CSNのいずれかが含まれていれば、異周波測定期間割り当て部１６は、第２１回検索の対象である次のブロックを指定する。次のブロックは、直前に検索されたブロック（サブフレーム番号39, 40, 1, 2, 3, 4）から１ブロックの長さ分ではなく７サブフレーム分シフトしたブロック（サブフレーム番号32, 33, 34, 35, 36, 37）である。１ブロックの長さ分のシフトでは、サブフレーム番号33, 34, 35, 36, 37, 38のブロックが指定されてしまい、このブロックは第１回検索で既に検索されているからである。
【０１１０】
以降、番号ASN, BSN, CSNのいずれも含まれていないブロックが発見されれば、そのブロックが測定ギャップとして選択される。そうでない限り、直前に検索されたブロックから１ブロックの長さ分離れた次のブロックへのシフトが繰り返される。図１３および図１４に示すように、第２１回〜第２７回検索対象は、第１４回〜第２０回検索対象からそれぞれ３サブフレームずれる。第２８回〜第３４回検索対象は、第２１回〜第２７回検索対象からそれぞれ２サブフレームずれる。第３５回〜第４０回検索対象は、第２８回〜第３３回検索対象からそれぞれ２サブフレームずれる。最大で40回（MGRPに含まれるサブフレームの数）の検索が行われる。
【０１１１】
図１３および図１４を参照して説明したこの第３の実施の形態では、各判断・選択工程で、異周波測定期間割り当て部１６は、測定ギャップの長さを有する連続する複数のサブフレームからなるブロックに回避すべきサブフレームの番号ASN, BSN, CSNが含まれるか否か判断し、このブロックに回避すべきサブフレームの番号ASN, BSN, CSNが含まれていなければ、このブロックを測定ギャップとして選択して、移動局２０にその測定ギャップを割り当てる。このブロックに回避すべきサブフレームの番号ASN, BSN, CSNが含まれていれば、異周波測定期間割り当て部１６は、このブロックから１ブロックの長さ（測定ギャップの長さ）である６サブフレーム分または７サブフレーム分シフトした次のブロックを指定して、そのブロックに回避すべきサブフレームの番号ASN, BSN, CSNが含まれるか否か判断する。すなわち、図１３および図１４を参照して説明した第３の実施の形態では、ブロックに回避すべきサブフレームの番号ASN, BSN, CSNが含まれていれば、異周波測定期間割り当て部１６は、このブロックから複数サブフレーム分シフトした次のブロックを指定して、そのブロックに回避すべきサブフレームの番号ASN, BSN, CSNが含まれるか否か判断する。したがって、複数の移動局２０に割り当てられる測定ギャップが集中する事態を低減することができる。
【０１１２】
異周波測定期間割り当てのさらに他の実施の形態
測定ギャップの割り当て方法は上記の実施の形態に限定されない。要するに、既に検索されたブロックと異なるブロックが検索され、最大でMGRPに含まれるサブフレームの数の検索が行われることが好ましい。また、検索対象のブロックに回避すべきサブフレームの番号ASN, BSN, CSNが含まれる場合に、複数サブフレーム分シフトした次のブロックを指定することがさらに好ましい。
【０１１３】
例えば、図１５に示すように、検索対象のブロックに回避すべきサブフレームの番号ASN, BSN, CSNが含まれる場合に、７サブフレーム分シフトした次のブロックを指定してもよい。
【０１１４】
図１６に示すように、検索対象のブロックに回避すべきサブフレームの番号ASN, BSN, CSNが含まれる場合に、原則として５サブフレーム分シフトした次のブロックを指定してもよい。図１６において、例外的に第８回検索対象のブロックと第９回検索対象のブロックは６サブフレーム離れている。これは、５サブフレーム分のシフトの原則に従うことによって、第９回検索対象のブロックが第１回検索対象のブロックと一致するのを避けるためである。図１６において、例外的に第１６回検索対象のブロックと第１７回検索対象のブロックは６サブフレーム離れている。これは、５サブフレーム分のシフトの原則に従うことによって、第１７回検索対象のブロックが第９回検索対象のブロックと一致するのを避けるためである。
【０１１５】
図示した上記の実施の形態では、次のブロックへのシフトの方向は、サブフレーム番号が減る方向である。しかし逆の方向へシフトしてもよい。図示しないが、検索対象のブロックに回避すべきサブフレームの番号ASN, BSN, CSNが含まれる場合に、まだ検索されていないブロックの中から次のブロックをランダムに選択してもよい。
【０１１６】
他の変形
上記の実施の形態においては、サブフレーム特定部１４は、システム情報サブフレーム、ページングサブフレーム、およびオン期間サブフレームのいずれをも特定し、異周波測定期間割り当て部１６はこれらのサブフレームのいずれをも回避しながら測定ギャップを選択し、これを移動局に割り当てる。しかし、サブフレーム特定部１４は、システム情報サブフレーム、ページングサブフレーム、およびオン期間サブフレームの少なくともいずれかを特定し、異周波測定期間割り当て部１６はサブフレーム特定部１４で特定されたサブフレームを回避しながら測定ギャップを選択し、これを移動局に割り当ててもよい。この変形によれば、システム情報の送信の時期と移動局２０での異周波測定のための異周波測定期間の重なり、移動局２０のアイドルモードでのページングオケージョンと異周波測定期間の重なり、移動局２０の下りリンク制御チャネルの間欠受信でのオン期間と異周波測定期間の重なりの少なくともいずれかを回避することができる。
【０１１７】
上記の実施の形態では、システム情報サブフレームは、基地局がSIメッセージを送信するサブフレームであるが、システム情報サブフレームは、基地局がSIB-1またはMIBを送信するサブフレームであってもよい。
【０１１８】
上記の実施の形態では、オン期間サブフレームは、Long DRXに適応するオン期間に対応するサブフレームであるが、オン期間サブフレームは、Short DRXに適応するオン期間に対応するサブフレームであってもよい。
【０１１９】
異周波測定期間割り当てにおいて、異周波測定期間割り当て部１６は、MGRPのうち最初に検索を行うべきブロックを、測定ギャップが割り当てられる移動局２０に応じて異なるように指定してもよい。例えば、ある移動局２０についての異周波測定期間割り当てで最初に検索を行ったブロックを記憶しておき、他の移動局２０についての異周波測定期間割り当てでは、そのブロックから所定数のサブフレームシフトしたブロックについて最初に検索を行ってもよいし、最初に検索を行うべきブロックをランダムに決定してもよい。常に同じブロックから検索を開始した場合には、ある移動局２０に割り当てられる測定ギャップと他の移動局２０に割り当てられる測定ギャップが一致したり部分的に重なったりすることがある。無線基地局が下りリンク送信に使用するリソースは有限であるから、サービング基地局が移動局２０にデータを送信しない期間である測定ギャップが集中するのは好ましくはない。換言すれば、複数の移動局２０のそれぞれのデータを送信できる期間は互いに離れている方が望ましい。例えばLTEシステムでは、複数の移動局２０についてデータを送信できる期間が異なっていれば、移動局２０へのサブキャリアの割り当てを含むスケジューリングの制約が少ない。最初に検索を行うべきブロックを移動局２０に応じて異ならせることによって、複数の移動局２０に割り当てられる測定ギャップが集中する事態を低減することができる。
【０１２０】
上記の実施の形態は、LTEシステムに適応する。しかし、本発明の用途はLTEシステムに限られない。例えば3Gシステム、WiFi、Wimax、その他の無線システムの無線基地局に本発明を利用してもよい。
【０１２１】
基地局２０において、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【符号の説明】
【０１２２】
１０  無線基地局、１２  送受信部、１４  サブフレーム特定部、１６  異周波測定期間割り当て部、２０  移動局。
【図１】
0005281699.tif 000004
【図２】
0005281699.tif 000005
【図３】
0005281699.tif 000006
【図４】
0005281699.tif 000007
【図５】
0005281699.tif 000008
【図６】
0005281699.tif 000009
【図７】
0005281699.tif 000010
【図８】
0005281699.tif 000011
【図９】
0005281699.tif 000012
【図１０】
0005281699.tif 000013
【図１１】
0005281699.tif 000014
【図１２】
0005281699.tif 000015
【図１３】
0005281699.tif 000016
【図１４】
0005281699.tif 000017
【図１５】
0005281699.tif 000018
【図１６】
0005281699.tif 000019